(57)【要約】【課題】  従来は各機能画面毎に異なる入力キーによる画面遷移先処理を行い、該当の機能画面を表示する処理を行うことはできない。また、複数の機能画面をユーザの使い勝手に合わせて集約することができない。【解決手段】  携帯端末装置における制御部３は、キー入力部１より入力されたキーコードあるいは通話部２より入力された音声データにより、キーコード認識部３ａでは、入力されたキー操作により、音声処理部３ｄでは通話部２より入力された音声データにより処理し、ユーザメニュー処理部３ｃで登録されたデータに基づき、該当の機能画面を表示させるように処理する画面制御部３ｂにより、表示部４に表示する。制御部３は設定したデータに付随して音声データと機能名称を登録することにより、キー操作だけでなく音声入力により該当の機能画面を表示部４に表示させることができる。【選択図】            図１
2006005695.tif 000002
【特許請求の範囲】
【請求項１】
複数の機能を有する携帯端末装置において、
予め記憶された操作手順とは別に、前記複数の機能のうち任意の一又は二以上の機能画面へ遷移するデータを設定する設定手段と、
遷移先の機能画面を設定したデータに付随して、任意の音声データを登録する音声データ登録手段と、
設定した前記任意の機能画面への遷移の際に、待ち受け画面にて音声データを入力する音声入力手段と、
待ち受け画面にて前記音声入力手段により入力した前記音声データと、登録されている前記音声データとの一致判定をし、一致した時に設定した前記任意の機能画面へ遷移させる判定手段と
を有することを特徴とする携帯端末装置。
【請求項２】
前記遷移先の機能画面を設定したデータに付随して、任意の機能名称を設定する名称設定手段を更に有することを特徴とする請求項１記載の携帯端末装置。
【請求項３】
予め記憶された操作手順の中で、複数の関連する機能画面を１メニューに集約し、設定内容の確認や設定を容易に行うことができるサブメニュー機能を有することを特徴とする請求項１又は２記載の携帯端末装置。
【請求項４】
設定したデータの削除、変更や音声データの確認等を可能とする編集機能を有することを特徴とする請求項１又は２記載の携帯端末装置。
【請求項５】
操作手順設定一覧を表示する表示手段と、前記操作手順設定一覧表示中の任意の項目を特定キーにて選択し、選択した項目に対応した機能画面を表示させる選択手段とを更に具備することを特徴とする請求項１又は２記載の携帯端末装置。
【請求項６】
複数の機能を有する携帯端末装置において、
待ち受け画面から第１の設定画面を表示させ、その第１の設定画面中のデータフィールドを指定して、予め記憶された操作手順とは別に、前記複数の機能のうち、任意の一又は二以上の機能画面へ遷移するデータを設定する設定手段と、
待ち受け画面から前記設定手段により設定された一又は二以上の機能画面の項目を一覧表示するメニュー画面を表示させる表示手段と、
前記メニュー画面の表示状態から前記設定手段により設定された前記一又は二以上の機能画面のうち選択した機能画面へ遷移させる第１の遷移表示手段と、
前記メニュー画面の表示状態から前記第１の設定画面に切り替え表示させる第２の遷移表示手段と、
前記メニュー画面の表示状態から前記メニュー画面に表示されている前記一又は二以上の機能画面の項目に集約される一又は二以上の第１の副項目を一覧表示する第１のサブメニュー画面を表示させる第３の遷移表示手段と、
前記サブメニュー画面の表示状態から、前記設定手段により設定された一又は二以上の機能画面の項目を一覧表示するメニュー画面、データフィールドを指定して予め記憶された操作手順とは別にユーザが任意の一又は二以上の機能画面へ遷移するデータを設定する第２の設定画面、及び前記第１のサブメニュー画面に表示されている前記一又は二以上の第１の副項目に集約される一又は二以上の第２の副項目を一覧表示する第２のサブメニュー画面のうちのいずれかの画面を表示させる第４の遷移表示手段と
を有することを特徴とする携帯端末装置。
【請求項７】
前記第１の設定画面は音声データ入力フィールドを有し、前記音声データ入力フィールドにカーソルを位置させたときに入力された、任意の機能画面遷移用音声データを登録する音声データ登録手段と、入力された音声データと登録された音声データとが一致した時、一致した音声データに対応した機能画面を表示する機能画面遷移手段とを有することを特徴とする請求項６記載の携帯端末装置。
【発明の詳細な説明】
【技術分野】
【０００１】
本発明は携帯端末装置に係り、複数の機能を有している、携帯電話機、ＰＨＳ（Personal Handyphone System）、ＰＤＡ（Personal Date Assistance，Personal Digital Assistants：個人向け携帯型情報通信機器）等の携帯端末装置に関する。
【背景技術】
【０００２】
従来、複数の機能を有する携帯端末装置の中には、機能選択をする場合、予め記憶された操作仕様に基づく操作手順を使用者に明確に誘導するため、使用者が或る機能を選択するときに、使用者が次に操作すべきキースイッチを所定の発光色のバックライトで照光するようにして、機能選択の操作を誘導するものが知られている（例えば、特許文献１参照）。
【０００３】
また、ユーザが予め決められた操作順番に記憶されたものから、任意に抽出した機能画面への操作手順を機能メニューとは別に専用キーを設けて操作する複数の機能を有する携帯端末装置も従来知られている（例えば、特許文献２参照）。
【０００４】
更に、一連のキー操作手順を記憶し特定キーの操作により記憶した一連のキー操作手順に対応する機能を実行する携帯端末装置において、一連のキー操作手順を記憶しているキー操作情報が入力されると、後続する一連のキー操作情報に対応する機能を実行させながら、一連のキー操作情報を次回実行時に新たなキー操作情報の入力を要するか否かを示す情報と共に記憶部に書き込み、操作手順の実行が指定されていることを認識すると、記憶部に記憶した一連のキー操作情報を読み出して、新たなキー操作情報の入力を要する場合は表示部にその旨を表示し、操作部から入力された新たなキー操作情報を読み出した一連のキー操作情報に挿入しながら、一連のキー操作情報に対応する機能を実行させるようにした携帯端末装置も従来より知られている（例えば、特許文献３参照）。
【０００５】
【特許文献１】特開２００２−９４６３８号公報
【特許文献２】特開２００１−７７９０１号公報
【特許文献３】特開２００３−１６７６６７号公報
【発明の開示】
【発明が解決しようとする課題】
【０００６】
しかしながら、上記の従来の携帯端末装置は、いずれも、予め設定された操作手順において、複数の機能画面を続けて操作する場合、各画面毎に待ち受け画面からの操作をする必要があり、該当の機能画面まで表示させるまでに入力するキーの数が多いような場合、操作が面倒で時間が掛かる問題がある。
【０００７】
また、上記の従来の携帯端末装置では、キー操作以外に該当の機能画面を表示する手段がないという問題があり、更に、表示する機能名称は予め登録されているデータを使用するしかできない為、なかなか機能を憶えることができないことや、ユーザ独自の表記にすることができないという問題がある。
【０００８】
また、上記の特許文献３記載の従来の携帯端末装置は、電話番号を入力して電話をかける操作手順を記憶するもので、キー入力順番を記憶し、そのキーに割り付けられた動作（例えば、数字キーは数字キーとして処理）をさせるものであり、キー入力情報があれば動作は可能であるが、待ち受け画面を基準画面とし、そこから複数の入力キーにより表示できる多くの機能画面へ遷移させる場合、入力されたキー情報（例えば、数字キーは数字キーとして処理）だけではなく、各機能画面毎に異なる入力キーによる画面遷移先処理を行い、該当の機能画面を表示する処理を行うことはできない。
【０００９】
更に、以上の従来の携帯端末装置では、ユーザがよく使用する機能画面や、例えば飛行機搭乗時刻などの設定した時刻で自動で電源が入るような機能を複数有する場合、各機能毎に予め登録された操作手順により操作し、該当の機能を動作しないように設定する煩わしさや、複数の機能をユーザの使い勝手によって１メニューに集約することができない等の問題もある。
【００１０】
本発明は以上の点に鑑みなされたもので、ユーザが該当の機能画面へ数少ないキー操作で遷移することができるようにし、画面遷移データに付随して音声データを入力可能にすることにより、キー操作だけでなく音声入力により設定した該当の機能画面へ遷移させることを可能にし、かつ、画面遷移データに付随して該当機能名称を任意に設定することによりユーザ独自の機能表記にすることができる携帯端末装置を提供することを目的とする。
【００１１】
また、本発明の他の目的は、予め登録された操作手順の中から、特に該当の機能画面へ遷移する設定をユーザが任意に設定し、所定の操作により該当の機能画面を表示させることと、複数の機能をユーザの使い勝手により１メニューに集約することができる機能を有する携帯端末装置を提供することにある。
【課題を解決するための手段】
【００１２】
上記の目的を達成するため、本発明の携帯端末装置は、複数の機能を有する携帯端末装置において、予め記憶された操作手順とは別に、複数の機能のうち任意の一又は二以上の機能画面へ遷移するデータを設定する設定手段と、遷移先の機能画面を設定したデータに付随して、任意の音声データを登録する音声データ登録手段と、設定した任意の機能画面への遷移の際に、待ち受け画面にて音声データを入力する音声入力手段と、待ち受け画面にて音声入力手段により入力した音声データと、登録されている音声データとの一致判定をし、一致した時に設定した任意の機能画面へ遷移させる判定手段とを有する構成としたものである。この発明では、ユーザがよく使用する画面や多くのキーを押さないと表示させることができない機能画面への遷移を、音声データを用いて任意に設定できる。
【００１３】
また、上記の目的を達成するため、本発明の携帯端末装置は、遷移先の機能画面を設定したデータに付随して、任意の機能名称を設定する名称設定手段を更に有することを特徴とする。この発明では、ユーザがよく使用する画面や多くのキーを押さないと表示させることができない機能画面へ、ユーザが設定した任意の機能名称により遷移させることができる。
【００１４】
また、上記の目的を達成するため、本発明は、予め記憶された操作手順の中で、複数の関連する機能画面を１メニューに集約し、設定内容の確認や設定を容易に行うことができるサブメニュー機能を有することを特徴とし、また、上記の目的を達成するため、本発明の携帯端末装置は、設定したデータの削除、変更や音声データの確認等を可能とする編集機能を有することを特徴とする。
【００１５】
更に、上記の目的を達成するため、本発明は操作手順設定一覧を表示する表示手段と、操作手順設定一覧表示中の任意の項目を特定キーにて選択し、選択した項目に対応した機能画面を表示させる選択手段とを更に具備することを特徴とする。
【００１６】
また、本発明は上記の目的を達成するため、複数の機能を有する携帯端末装置において、待ち受け画面から第１の設定画面を表示させ、その第１の設定画面中のデータフィールドを指定して、予め記憶された操作手順とは別に、複数の機能のうち、任意の一又は二以上の機能画面へ遷移するデータを設定する設定手段と、待ち受け画面から設定手段により設定された一又は二以上の機能画面の項目を一覧表示するメニュー画面を表示させる表示手段と、メニュー画面の表示状態から設定手段により設定された一又は二以上の機能画面のうち選択した機能画面へ遷移させる第１の遷移表示手段と、メニュー画面の表示状態から第１の設定画面に切り替え表示させる第２の遷移表示手段と、メニュー画面の表示状態からメニュー画面に表示されている一又は二以上の機能画面の項目に集約される一又は二以上の第１の副項目を一覧表示する第１のサブメニュー画面を表示させる第３の遷移表示手段と、サブメニュー画面の表示状態から、設定手段により設定された一又は二以上の機能画面の項目を一覧表示するメニュー画面、データフィールドを指定して予め記憶された操作手順とは別にユーザが任意の一又は二以上の機能画面へ遷移するデータを設定する第２の設定画面、及び第１のサブメニュー画面に表示されている一又は二以上の第１の副項目に集約される一又は二以上の第２の副項目を一覧表示する第２のサブメニュー画面のうちのいずれかの画面を表示させる第４の遷移表示手段とを有することを特徴とする。この発明では、ユーザがよく使用する画面や多くのキーを押さないと表示させることができない機能画面への遷移を、第１の設定画面からユーザが任意に設定できると共に、第２の設定画面から遷移させる機能画面の１つの項目に複数の第１の副項目を集約させることができ、更に一つの第１の副項目に複数の第２の副項目を集約させることができる。
【００１７】
また、上記の目的を達成するため、本発明は、第１の設定画面は音声データ入力フィールドを有し、音声データ入力フィールドにカーソルを位置させたときに入力された、任意の機能画面遷移用音声データを登録する音声データ登録手段と、入力された音声データと登録された音声データとが一致した時、一致した音声データに対応した機能画面を表示する機能画面遷移手段とを有することを特徴とする。この発明では、音声データによっても任意の機能画面への遷移が可能となる。
【発明の効果】
【００１８】
本発明の第１の効果は、ユーザがよく使用する画面や多くのキーを押さないと表示させることができない機能画面への遷移をユーザが任意に設定できるようにしたユーザメニュー画面において、設定したデータに付随して音声データと機能名称を登録することにより、キー操作だけでなく音声入力により該当の機能画面を表示させることができることにある。
【００１９】
本発明の第２の効果は、複数の機能をユーザの使い勝手に合わせて集約することができるため、ユーザ個別の機能メニューを構築することができることにある。
【００２０】
本発明の第３の効果は、ユーザがよく使用する機能一覧を１画面に表示にするようにしたため、視認性を向上させることができることである。
【００２１】
本発明の第４の効果は、任意の機能画面への遷移への登録に、ユーザが任意に設定した機能名称を用いることができるため、予め登録されている機能名称を使用する場合に比べて、容易に機能の内容を憶えることができ、ユーザの使い勝手を向上できることにある。
【００２２】
本発明の第５の効果は、複数の機能画面をユーザの使い勝手によって集約することができるサブメニュー機能と設定したメニュー一覧を表示することができる表示機能を有することにより、ユーザの使い勝手に合わせた操作手順やメニュー構成を構築することができることにある。
【発明を実施するための最良の形態】
【００２３】
次に、本発明の実施の形態について図面を参照して詳細に説明する。図１は本発明になる携帯端末装置の一実施の形態のブロック図を示す。同図に示すように、本実施の形態の携帯端末装置は、各種のキーからのキー入力を受け付けるキー入力部１と、音声データを入出力するマイクやスピーカを有する通話部２と、キー入力部１で入力されたキーにより予め記憶されている画面へ遷移する処理やユーザが任意に設定し、簡易操作にて任意の機能画面へ遷移することができる制御部３と、該当の機能画面等を表示する表示部４とを含む構成である。
【００２４】
制御部３は、キー入力部１より入力されたキーを判別するキーコード認識部３ａと、キーコード認識部３ａにて認識された入力キーにより予め記憶してある画面へ遷移する処理や、ユーザメニュー処理部３ｃで設定した画面遷移する処理を、表示部４に対して行う画面制御部３ｂと、通話部２より入力された音声データを登録したり、登録されたデータと入力された音声データとを一致判定する音声処理部３ｄとを有する。画面制御部３ｂは、待ち受け画面からの特定キーにより起動されるユーザメニュー処理部３ｃを含む。
【００２５】
図２は本発明になる携帯端末装置の一実施の形態における各表示画面を示す。図２に示すように、表示部４に表示される表示画面には、基準画面であるユーザメニュー画面１０と、ユーザメニュー画面１０からＳＫ１キーを選択することにより、待ち受け画面からの操作手順を入力するキー入力フィールドや音声データを登録する音声入力フィールド並びに機能名称を登録することができるタイトル入力フィールドを有するユーザメニュー設定画面１１と、ユーザメニュー画面１０から選択したい項番に上向き黒三角印キーまたは下向き黒三角印キーにてカーソルを移し、キーを押すことにより表示するユーザサブメニュー画面１２と、ユーザサブメニュー画面１２から選択した項番に上向き黒三角印キーまたは下向き黒三角印キーにてカーソルを移し、ＳＫ１キーを押すことにより表示するユーザサブメニュー設定画面１３とがある。ユーザサブメニュー設定画面１３は、ユーザメニュー設定画面１１と同様の設定が可能である。
【００２６】
ここで、ユーザメニューを設定していない場合、ユーザメニュー画面１０はブランク表示であり、ユーザメニュー設定画面１１でタイトルや機能遷移先や音声データの登録などを設定する。図２のユーザメニュー画面１０は、丸数字で示した８項目の内容が設定されている例を示している。各設定項目毎にユーザメニュー設定画面１１でキー入力、音声データ入力、タイトル入力を行うことができる。同様に、ユーザサブメニューを設定していない場合は、ユーザサブメニュー画面１２はブランク表示であり、ユーザサブメニュー設定画面１３でユーザサブメニューを設定できる。
【００２７】
また、自動電源オンする機能として、装置内に”Ａｕｔｏ  ｐｏｗｅｒ（Ｍ１１２３）”と”Ｓｃｈｅｄｕｌｅｒ（Ｍ８１２３）”とがあり、それをユーザが任意の機能名称として”Ｓａｆｔｙ”と付けた場合、図２に示すように、操作手順設定一覧表示をするユーザサブメニュー画面１２に表示される”Ａｕｔｏ  ｐｏｗｅｒ（Ｍ１１２３）”と”Ｓｃｈｅｄｕｌｅｒ（Ｍ８１２３）”とが、操作手順設定一覧表示をするユーザメニュー画面１０のうち、３番目の１メニュー”Ｓａｆｅｔｙ”に集約されることが分かる。
【００２８】
図３は図１に示した構成を有し、かつ、図２に示した各種の画面表示が可能な複数の機能を有する本発明になる携帯端末装置の一実施の形態の外観正面図を示す。図３において、携帯端末装置の一例としての携帯電話機２０のパネルには、図１の表示部４に相当する液晶表示素子（ＬＣＤ）から構成され、図２に示した各種画面の切り換え表示などを行う表示部２１と、数字キーその他各種のキーからなり、図１のキー入力部１に相当するキー入力部２２と、送話音声を収音するマイク２３と、受話音声を発音したり、着信音を鳴動するスピーカ２４とが設けられている。マイク２３及びスピーカ２４は、図１の通話部２を構成している。
【００２９】
なお、キー入力部２２内のＳＫ２で示すキーは、前記画面１０〜１３の”Ｂａｃｋ”の動作（前の画面に戻るためのキー）に割り当てられたキーで、ＳＫ１で示すキーは、前記画面１０、１２では”Ｅｄｉｔ”の動作に、前記画面１１、１３では”Ｓｅｔ”の動作に割り当てられたソフトウェアキーである。
【００３０】
次に、本実施の形態の動作について、図４のフローチャートを併せ参照して説明する。まず、図１の制御部３は、表示部４（２１）に待ち受け画面（ステップＳ１）が表示されている状態において、キー入力部１よりのキー入力が音声入力開始キー（図２の例えばＳＫ２で示したキー）によるキー入力かをチェックし（ステップＳ２）、音声入力開始キー入力であれば音声入力待ち状態となり、一定時間内に図３のマイク２３を用いて入力された音声信号を取り込む（ステップＳ３）。
【００３１】
続いて、制御部３は、入力された音声信号が登録済みの音声データと一致するかをチェックする（ステップＳ４）。上記の音声データとしては、例えばユーザメニュー”Ｃｌｏｃｋ”に登録した内容に対して、音声で登録された”クロック”がある。入力された音声信号と登録済みの音声データとが一致したときには、機能画面への遷移先を示す画面遷移設定データが登録されているかどうかを判定し（ステップＳ５）、画面遷移設定データが登録されていると判定したときには、設定された機能画面へ遷移する（ステップＳ１３）。
【００３２】
ここで、ステップＳ５で判定する画面遷移設定データは、ユーザメニュー画面１０の１番目の項目”Ｃｌｏｃｋ（Ｍ１２２３）”のことで、設定はユーザサブメニュー設定画面１１のキー入力フィールド１１１で入力したデータで、待ち受け画面からＭｅｎｕキー、１、２、２、３の順でその数字キーを押下することにより、クロック設定画面へ遷移するためのデータである。これにより、ユーザメニュー画面１０でＣｌｏｃｋと入力された番号１キーを押下するか、ユーザメニュー画面１０の１番目の項目”Ｃｌｏｃｋ（Ｍ１２２３）”にカーソルをハイライトして選択キー（図３の黒丸印のキー）を押下することにより、待ち受け画面からＭｅｎｕキー、１、２、２、３の順でその数字キーを押下しなくても、クロック設定画面（設定された機能画面）へ遷移することができる。
【００３３】
入力された音声信号がステップＳ４で登録済みの音声データと一致しないと判定したとき、又はステップＳ５で画面遷移設定データが登録されていないと判定したときには、待ち受け画面へ戻る（ステップＳ１）。一方、制御部３はステップＳ２で入力されたキーが音声入力開始キーでないと判定した場合、キー入力はユーザメニュー画面を表示させるキー入力であるか否かをチェックし（ステップＳ６）、ユーザメニュー画面表示させるキー入力である場合は、図２に１０で示したユーザメニュー画面を表示部４（２１）に表示する（ステップＳ７）。
【００３４】
ユーザメニュー画面が表示部４（２１）に表示されている状態において、図３に示したキー入力部２２内のキー２７の上向き黒三角印キーまたは下向き黒三角印キーにて、画面内のカーソルを選択した項番に移動させ（ステップＳ８）、選択した項番が機能画面表示選択であるかどうか判定する（ステップＳ９）。図２の例では、ユーザメニュー画面１０には８つの機能画面表示選択の項目が表示されているので、この８つの項目のどれかにカーソルを移動して選択することで機能画面表示選択と判定される。
【００３５】
機能画面表示選択であるときには、画面遷移設定データが登録されているかどうか判定する（ステップＳ１０）。画面遷移設定データが登録されているときには設定（登録）されている機能画面に遷移し（ステップＳ１３）、登録されていないときには、ユーザメニュー画面の表示に再び戻る（ステップＳ７）。
【００３６】
選択した項番がステップＳ９で機能画面表示選択でないと判定されたときには、選択した項番が編集選択であるかどうか判定する（ステップＳ１１）。この編集選択は、図２のユーザメニュー画面１０に表示されている項目のうちの任意の項目（図２の例では、３番目の項目”Ｓａｆｔｙ”）にカーソルがハイライトした状態で、図３のＳＫ１キー２５がユーザメニュー画面１０の左下にある”Ｅｄｉｔ”のボタンが選択されたときに編集選択と判定される。
【００３７】
ステップＳ１１で編集選択であると判定されたときには、図２に１１で示したユーザメニュー設定画面を表示部４（２１）に表示させ（ステップＳ１４）、編集選択でないときには、選択した項番がサブメニュー編集選択かどうか判定する（ステップＳ１２）。このサブメニュー編集選択は、図２のユーザメニュー画面１０に表示されている項目のうちの任意の項目（図２の例では、３番目の項目”Ｓａｆｔｙ”）にカーソルがハイライトした状態で、図３中央部のキー２７の右向き黒三角印キーを押下したときにサブメニュー編集選択と判定される。
【００３８】
ステップＳ１２で選択した項番がサブメニュー編集選択でないと判定されたときには、選択した項番が機能画面表示選択、編集選択及びサブメニュー編集選択のいずれでもなく不明であるので再びステップＳ７に戻りユーザメニュー画面のままとなるが、サブメニュー編集選択であると判定されたときには、図２に１２で示したユーザサブメニュー画面を表示部４（２１）に表示させる（ステップＳ１５）。
【００３９】
次に、ステップＳ１４のユーザメニュー設定画面の表示時における処理動作について、図５のフローチャートと共に説明する。ステップＳ１４で表示部４（２１）に表示されているユーザメニュー設定画面１１には、図２に示すように、待ち受け画面から該当の機能画面までの操作手順を入力、設定するキー入力フィールド１１１と、キー入力フィールド１１１にて設定された遷移先データに付随して音声データを登録する音声入力フィールド１１２と、ユーザメニュー一覧に表記する機能名称を任意に設定するタイトル入力フィールド１１３とが設けられている。
【００４０】
この表示状態において、ユーザは図３に示したキー入力部２２内の上向き黒三角印キーまたは下向き黒三角印キーにて、画面内のカーソルをいずれかのフィールドに移動する。制御部３は、カーソルの移動先フィールドがキー入力フィールド１１１であるか否か判定する（図５のステップＳ２１）。カーソルがキー入力フィールド１１１にある場合は、待ち受け画面より該当の機能画面へ遷移するための操作手順を入力する場合であり、このキー入力フィールド１１１で入力できるキーは、予め登録されているキー（Ｍｅｎｕキーと数字キー）である。従って、キー入力フィールドであると判定されたときには、メニュー（Ｍｅｎｕ）キーかどうか判定し（図５のステップＳ２２）、Ｍｅｎｕキーでないときには数字キーであるかどうか判定する（図５のステップＳ２４）。
【００４１】
例えば、図２に示したユーザメニュー画面１０の一覧表示の中で、“Ｃｌｏｃｋ（Ｍ１２２３）”の“Ｍ１２２３”は、待ち受け画面から“Ｍｅｎｕ”キーに、“１”キー、“２”キー、“２”キー、“３”キーが入力されたことを示す。“Ｃｌｏｃｋ”は、ユーザが任意に設定した機能名称である。
【００４２】
ステップＳ２２で入力されたキーがＭｅｎｕキーであると判定された場合、“Ｍ”と表記し、待ち受け画面からＭｅｎｕキー入力により表示する機能画面の遷移先を登録する（図５のステップＳ２３）。また、ステップＳ２４で入力されたキーが数字キーであると判定された場合は、画面上に入力された数字キーの数字を前入力表示“Ｍ”の後に表記し、遷移先を入力された数字キーで遷移する機能画面に書き換える（図５のステップＳ２５）。このようにして該当の機能画面までの全てのキー入力をして設定を終了する。
【００４３】
ステップＳ２３又はＳ２５の処理が終了するか、あるいはＭｅｎｕキー及び数字キーのいずれも押下されていないと判定されたときには、続いて、制御部３はカーソルが移動されたかどうか判定し（図５のステップＳ２６）、移動していなければ再びステップＳ２２に戻り、移動していれば、その移動先フィールドが音声入力フィールド１１２であるかどうか判定する（図５のステップＳ２７）。音声入力フィールド１１２にカーソルが移動していた場合は、マイク２３から前記ステップＳ４で一致判定する音声データの入力をする（図５のステップＳ２８）。
【００４４】
続いて、音声データを登録するかどうか判定し（図５のステップＳ２９）、２度音声データが入力されてそれらが一致した場合、音声データを登録する（図５のステップＳ３０）。例えば、“Ｃｌｏｃｋ”と２度入力し、一致判定できれば登録され、待ち受け画面で入力する音声データ（図４のステップＳ３）を同じ“Ｃｌｏｃｋ”で入力すれば、上記キー入力フィールド１１１で入力された機能画面をキー操作することなく表示することができる。
【００４５】
また、ステップＳ２７でカーソルの移動先が音声入力フィールド１１２でないと判定されたときには、カーソルはタイトル入力フィールド１１３に移動されたと判断して、タイトル表記（機能名称）が数字キーや記号のキーを用いて入力される（図５のステップＳ３１）。ここで入力した機能名称は、図２のユーザメニュー画面１０に表示される。例えば、“Ｃｌｏｃｋ（Ｍ１２２３）”の“Ｃｌｏｃｋ”が、入力された機能名称である。
【００４６】
ステップＳ３０の音声データ登録処理又はステップＳ３１のタイトル表記入力処理が終了すると、制御部３は図３に示したＳＫ１キー２５が押下されてキー入力されたかどうか判定する（図５のステップＳ３２）。ＳＫ１キー入力がないと判定されたときにはステップＳ２７の処理に戻り、ＳＫ１キー入力があると判定されたときには、設定データを格納し、ユーザメニュー画面１０に表示が戻る（図５のステップＳ３３）。
【００４７】
このように、待ち受け画面よりユーザメニュー設定画面１１に切り換えて該当の機能画面へ遷移するための操作手順を入力した後、音声入力やタイトル入力が不要であれば、ＳＫ１キー２５を押下することにより、設定した内容を記憶させ設定を終了し、あるいは全ての編集が終了後、ＳＫ１キー２５を押下することにより、設定されたデータを登録し、ユーザメニュー画面へ戻る（図５のステップＳ３３）。なお、登録した音声データは、図３に示したＭｅｎｕキー２６を押下して、音声データ確認機能を選択することにより、スピーカ２４より確認することができる。
【００４８】
次に、図４のステップＳ１５のユーザサブメニュー画面の表示時における処理動作について、図６のフローチャートと共に説明する。図２に示したユーザメニュー画面１０で、キー入力部２２内の上向き黒三角印キーまたは下向き黒三角印キーにてカーソルを選択したい項番に移動させ、右向き黒三角印キーを押すことにより、図２に示したユーザサブメニュー画面１２を表示することができる。
【００４９】
例えば、図２のユーザメニュー画面１０の上から３番目の項番に上向き黒三角印キー又は下向き黒三角印キーにてカーソルを移動させ、所定の決定キーを押すことにより、ユーザサブメニュー画面１２を表示部４（２１）に表示させることができる。この表示状態において、ユーザは図３に示したキー入力部２２内の上向き黒三角印キー又は下向き黒三角印キーにて画面内のカーソルを選択した項番に移動させ（図６のステップＳ４１）、選択した項番が機能画面表示選択されたかどうか判定し（図６のステップＳ４２）、機能画面表示選択されたときには、設定（登録）されている機能画面に遷移し（図６のステップＳ４５）、機能画面表示選択でないと判定されたときには、選択した項番が編集選択されたかどうか判定する（図６のステップＳ４３）。この編集選択は、図２のユーザサブメニュー画面１２に表示されている項目のうちの任意の項目（図２の例では、１番目の項目”Ａｕｔｏ  ｐｏｗｅｒ”）にカーソルがハイライトした状態で、図３のＳＫ１キー２５がユーザサブメニュー画面１２の左下にある”Ｅｄｉｔ”のボタンが選択されたときに編集選択と判定される。
【００５０】
ステップＳ４３で編集選択であると判定されたときには、図２に１３で示したユーザサブメニュー設定画面を表示部４（２１）に表示させ（図６のステップＳ４６）、編集選択でないときには、選択した項番がサブメニュー編集選択かどうか判定する（図６のステップＳ４４）。このサブメニュー編集選択は、図２のユーザサブメニュー画面１２に表示されている項目のうちの任意の項目（図２の例では、１番目の項目”Ａｕｔｏ  ｐｏｗｅｒ”）にカーソルがハイライトした状態で、図３中央部のキー２７の右向き黒三角印キーを押下したときにサブメニュー編集選択と判定される。
【００５１】
ステップＳ４４で選択した項番がサブメニュー編集選択でないと判定されたときには、選択した項番が機能画面表示選択、編集選択及びサブメニュー編集選択のいずれでもなく不明であるので再びステップＳ１５に戻りユーザサブメニュー画面のままとなるが、サブメニュー編集選択であると判定されたときには、ユーザサブメニュー設定画面を表示部４（２１）に表示させる（図６のステップＳ４７）。ここで、ステップＳ１５とＳ４７のいずれもユーザサブメニュー画面が表示されるが、ステップＳ１５で表示されるユーザサブメニュー画面は、図２に１２で示したユーザサブメニュー画面であるのに対し、ステップＳ４７で表示されるユーザサブメニュー画面は、ユーザサブメニュー画面１２より更にサブメニュー画面を示し、例えば図２の画面１２の”Ａｕｔｏ  ｐｏｗｅｒ（Ｍ１１２３）”にカーソルをハイライトして右向き黒三角印キーを押下することにより、ステップＳ４７で”Ａｕｔｏ  ｐｏｗｅｒ（Ｍ１１２３）”のサブメニュー画面（図示せず）が表示される。
【００５２】
このように、本実施の形態では、ユーザサブメニューを追加できることにより、予め携帯端末装置に設定させているメニュー構成と同じ構成を設定することもできる。あるいはメニュー構成の中に分散している複数の機能をユーザの使い勝手により１メニュー内に集約することもできる。
【００５３】
また、上記の実施の形態では、携帯端末装置で予め登録された操作手順以外に、ユーザが、携帯電話端末にて提供される機能画面の中で、よく使用する画面や操作数が多く、操作が面倒な画面、もしくは飛行機等に搭乗の際、複数の自動電源オン機能（すなわち、携帯端末装置を電源オンする機能、目覚まし機能、スケジューラ等によって設定された時間になると携帯端末装置が自動で電源オンする機能など）を有するような設定や各種の機能設定画面を１メニューに集約することができ、これにより、容易に該当の機能画面を表示させ、状態の確認や設定変更を容易に行うことができる。
【００５４】
次に、上記の実施の形態によるユーザが任意の機能を設定する場合の一具体例（一実施例）について説明する。ユーザは、待ち受け画面で図２のユーザメニュー画面１０を表示させるため、図３のＳＫ１キー２５を押下する。続いて、表示したユーザメニュー画面１０で、カーソルを１番目の項目にハイライトし、ＳＫ１キーで”Ｅｄｉｔ”を押下することによりユーザメニュー設定画面１１を表示する。続いて、”Ｃｌｏｃｋ（Ｍ１２２３）”を設定するため、ユーザメニュー設定画面１１中のキー入力フィールで、待ち受け画面からＭｅｎｕキーを押下した後、１、２、２、３の順で数字キーを押し、更にユーザメニュー設定画面１１中の音声入力フィールド１１２へカーソルを移動し、待ち受け画面でＳＫ２のキーを押下することにより、入力する音声と同じ”クロック”を入力する。続いて、ユーザメニュー設定画面１１中のタイトル入力フィールド１１３へカーソルを移動し、キー入力部２２を使用してタイトルとして”Ｃｌｏｃｋ”を入力する。
【００５５】
そして、上記の入力した各データを登録するため、ユーザメニュー設定画面１１中の”Ｓｅｔ”をＳＫ１キーで押下することにより設定を完了する。続いて、待ち受け画面で、ＳＫ２キーを押下して”クロック”とマイク２３を使用して音声入力する。これにより、設定されたクロック設定画面へ遷移させることができる。
【００５６】
または、待ち受け画面でＳＫ１キーを押下し、ユーザメニュー画面１０を表示させ、ユーザメニュー画面１０で”Ｃｌｏｃｋ”と表示された番号１の数字キーを押下するか、ユーザメニュー画面１０の”Ｃｌｏｃｋ（Ｍ１２２３）”にカーソルをハイライトして選択キー（図３の黒丸印のキー）を押下することによっても設定されたクロック設定画面へ遷移させることができる。
【００５７】
なお、本発明は以上の実施の形態に限定されるものではなく、例えば、各機能画面が表示された状態でオプション機能（各画面にてメニューキー選択により機能選択できる機能）にユーザメニューへの登録が可能な構成とするようにしてもよい。例えば、待ち受け画面よりＭｅｎｕキーを押下した後、１、２、２、３の順でその数字キーを押下することにより、クロック設定画面を遷移表示させ、その画面で有効なオプション機能メニュー画面（Ｍｅｎｕキー選択）の中に、ユーザメニュー登録機能を設け、その機能を選択することにより、図２のユーザメニュー画面１０に遷移するようにしても設定ができる。
【図面の簡単な説明】
【００５８】
【図１】本発明の携帯端末装置の一実施の形態のブロック図である。
【図２】本発明の携帯端末の一実施の形態におけるユーザメニュー画面と、ユーザメニュー設定画面と、ユーザサブメニュー画面と、ユーザサブメニュー設定画面とを示す図である。
【図３】本発明の携帯端末装置の一実施の形態の外観正面図である。
【図４】本発明の一実施の形態の動作説明用フローチャートである。
【図５】本発明におけるユーザメニュー設定画面の表示時の処理動作説明用フローチャートである。
【図６】本発明におけるユーザサブメニュー画面の表示時の処理動作説明用フローチャートである。
【符号の説明】
【００５９】
１  キー入力部
２  通話部
３  制御部
４  表示部
１０  ユーザメニュー画面
１１  ユーザメニュー設定画面
１２  ユーザサブメニュー画面
１３  ユーザサブメニュー設定画面
２０  携帯電話機
２１  表示部
２２  キー入力部
２３  マイク
２４  スピーカ
【図１】
2006005695.tif 000003
【図２】
2006005695.tif 000004
【図３】
2006005695.tif 000005
【図４】
2006005695.tif 000006
【図５】
2006005695.tif 000007
【図６】
2006005695.tif 000008